(57)【要約】      （修正有）【課題】地震によって目地部が狭くなるように目地プレートが揺れ動いても、係止ピンが目地プレートに固定された係止ピン挿入ケースより外れるのを防止して、揺れ動きが停止すると自動的に元の状態へ戻すことができる床用目地装置。【解決手段】一方の床躯体の目地部側に形成された目地プレート支持凹部４に後端部が取付手段で支持され、先端部が他方の床躯体に形成された目地プレートスライド支持凹部６に支持された目地プレート７を備える床用目地装置において、取付手段は、目地プレート７の後端部の両側部寄りの部位に設けられた係止ピン挿入ケース１８と、係止ピン挿入ケース１８内へ目地プレート７の先端部が傾斜状態で入り込むように目地プレート支持凹部４の躯体に固定された係止ピン１９と、係止ピン１９の上部に着脱可能に固定されスライド移動可能な押え板２１と、押え板２１に当接可能なストッパー片２２とで、構成している。【選択図】図２
2010111998.tif 000002
【特許請求の範囲】
【請求項１】
一方の床躯体の目地部側に形成された目地プレート支持凹部と、この目地プレート支持凹部と対応する部位の他方の床躯体の目地部側に形成された反目地部側が傾斜面に形成された目地プレートスライド支持凹部と、前記目地プレート支持凹部に後端部が支持され、前記目地プレートスライド支持凹部に先端部がスライド移動可能に支持された目地プレートと、この目地プレートの先端部が上下方向に回動できるように、該目地プレートの後端部を前記目地プレート支持凹部に取付ける取付手段とからなる床用目地装置において、前記取付手段は前記目地プレートの後端部の両側部寄りの部位に設けられた係止ピン挿入ケースと、この係止ピン挿入ケース内へ目地プレートの先端部が上下方向に回動が可能となるように傾斜状態で入り込むように前記目地プレート支持凹部の躯体に固定された係止ピンと、この係止ピンの上部に着脱可能に固定された、前記係止ピン挿入ケース内をスライド移動可能な押え板と、前記係止ピン挿入ケースの内壁面に固定された前記目地プレートの先端部の上下方向の回動が可能で、かつ前記押え板と当接可能なストッパー片とで構成されていることを特徴とする床用目地装置。
【請求項２】
目地プレートの両側寄りの先端部あるいは後端部のいずれか一方あるいは両方に固定された上下部が開口するねじ孔が形成されたガタ防止固定具、このガタ防止固定具のねじ孔に螺合された前記目地プレートがガタ付くと、前記目地プレート支持凹部あるいは目地プレートスライド支持凹部側へ突出させて目地プレートのガタ付きを防止する止めねじ、前記ガタ防止固定具のねじ孔に螺合された蓋ねじとからなる目地プレートのガタ防止具を備えたことを特徴とする請求項１記載の床用目地装置。
【発明の詳細な説明】
【技術分野】
【０００１】
本発明は車両の走行が可能な左右の床躯体間の目地部を覆う床用目地装置に関する。
【背景技術】
【０００２】
従来、車両が走行可能な床用目地装置は、左右の床躯体の一方の目地部側床躯体に形成された目地プレート支持凹部と、この目地プレート支持凹部と対応する他方の目地部側床躯体に形成された反目地部側が傾斜面の目地プレートスライド支持凹部と、この目地プレートスライド支持凹部と前記目地プレート支持凹部を覆うように取付けられた目地プレートと、この目地プレートの先端部が上下方向に移動可能に、該目地プレートの後端部の両側寄りの部位に形成された係止ピン挿入ケース、この係止ピン挿入ケース内に挿入される前記目地プレート支持凹部の床躯体に固定された係止ピンとからなる取付手段とで構成されていた。
【０００３】
このため、地震で目地部が狭くなるように目地プレートが大きく揺れ動いた場合に、目地プレートの後端部が上方へ移動し、係止ピン挿入ケースと係止ピンとの係止状態が外れ、揺れ動きが停止しても目地プレートが元の状態へ戻れなくなるという欠点があった。
【特許文献１】特開２００７−１３２１５７
【発明の開示】
【発明が解決しようとする課題】
【０００４】
本発明は以上のような従来の欠点に鑑み、地震によって目地部が狭くなるように目地プレートが大きく揺れ動いても、係止ピンが目地プレートに固定された係止ピン挿入孔より外れるのを確実に防止して、揺れ動きが停止すると自動的に元の状態へ戻すことができる床用目地装置を提供することを目的としている。
【０００５】
また、本発明は目地プレートの上を車両が走行すると目地プレートがガタ付く場合、目地プレートのガタ付きを容易な作業で防止して、騒音が発生するのを効率よく阻止することができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は一方の床躯体の目地部側に形成された目地プレート支持凹部と、この目地プレート支持凹部と対応する部位の他方の床躯体の目地部側に形成された反目地部側が傾斜面に形成された目地プレートスライド支持凹部と、前記目地プレート支持凹部に後端部が支持され、前記目地プレートスライド支持凹部に先端部がスライド移動可能に支持された目地プレートと、この目地プレートの先端部が上下方向に回動できるように、該目地プレートの後端部を前記目地プレート支持凹部に取付ける取付手段とからなる床用目地装置において、前記取付手段は前記目地プレートの後端部の両側部寄りの部位に設けられた係止ピン挿入ケースと、この係止ピン挿入ケース内へ目地プレートの先端部が上下方向に回動が可能となるように傾斜状態で入り込むように前記目地プレート支持凹部の躯体に固定された係止ピンと、この係止ピンの上部に着脱可能に固定された、前記係止ピン挿入ケース内をスライド移動可能な押え板と、前記係止ピン挿入ケースの内壁面に固定された前記目地プレートの先端部の上下方向の回動が可能で、かつ前記押え板と当接可能なストッパー片とで床用目地装置を構成している。
【発明の効果】
【０００８】
以上の説明から明らかなように、本発明にあっては次に列挙する効果が得られる。
【０００９】
（１）取付手段を目地プレートの後端部の両側部寄りの部位に設けられた係止ピン挿入ケースと、この係止ピン挿入ケース内へ目地プレートの先端部が上下方向に回動が可能となるように傾斜状態で入り込むように目地プレート支持凹部の躯体に固定された係止ピンと、この係止ピンの上部に着脱可能に固定された、係止ピン挿入ケース内をスライド移動可能な押え板と、係止ピン挿入ケースの内壁面に固定された目地プレートの先端部の上下方向の回動が可能で、かつ押え板と当接可能なストッパー片とで構成されているので、地震で目地部が狭くなるように大きく揺れ動いても、目地プレートの後端部に固定されているストッパー片が係止ピンの上部に固定された押え板と当接して、脱落するのを確実に阻止することができる。
したがって、地震の揺れ動きが停止すると、自動的に目地プレートが元の状態へ戻ることができる。  
このため、地震が起きても補修作業が不要で、補修費用の低減を図ることができる。
【００１０】
（２）前記（１）によって、目地プレートの先端部の上下方向の回動をスムーズに行なわせることができ、従来と同様に使用することができる。
【００１１】
（３）請求項２は目地プレート上を車両が走行すると目地プレートがガタ付き、騒音が出る場合、目地プレートのガタ防止具によって目地プレートがガタ付くのを防止することができる。
したがって、目地プレートから発生する騒音を防止できる。
【００１２】
（４）請求項２は、目地プレートのガタ防止具はガタ防止固定具のねじ孔に螺合している止めねじの先端部を目地プレートの底面より突出させる操作でよいので、その操作が楽で、容易に行なうことができる。
【００１３】
（５）請求項２は、ガタ防止固定具のねじ孔にアイボルトを螺合させることにより、該アイボルトを用いて目地プレートを吊り上げて、目地部に設置する作業を楽に行なうことができる。
【００１４】
（６）請求項２は、目地プレートの両側寄りの先端部あるいは後端部のいずれか一方あるいは両方にねじ孔が形成されたガタ防止固定部と、このガタ防止固定具のねじ孔と螺合する止めねじおよび蓋ねじで目地プレートのガタ防止具が構成されているので、構造が簡単で、容易に実施することができる。
【発明を実施するための最良の形態】
【００１５】
以下、図面に示す本発明を実施するための最良の形態により、本発明を詳細に説明する。
【００１６】
図１ないし図９に示す本発明を実施するための最良の第１の形態において、１は目地部２を介して設けられた車両の走行が可能な床躯体３、３間を覆う本発明の床用目地装置で、この床用目地装置１は一方の床躯体３の目地部側に形成された目地プレート支持凹部４と、この目地プレート支持凹部４と対応する部位の他方の床躯体３の目地部側に形成された反目地部側が傾斜面５に形成された目地プレートスライド支持凹部６と、前記目地プレート支持凹部４に後端部が支持され、前記目地プレートスライド支持凹部６に先端部がスライド移動可能に支持された目地プレート７と、この目地プレート７の先端部が上下方向に回動できるように該目地プレート７の後端部を前記目地プレート支持凹部４に取付ける取付手段８と、前記目地プレート７の両側寄りの先端部および後端部に取付けられた目地プレートのガタ防止具９、９、９、９とで構成されている。
【００１７】
前記目地プレート支持凹部４の表面は複数本の皿ビス１０等で、該部位の床躯体３に固定される金属材製のカバー部材１１で覆われている。
【００１８】
前記目地プレートスライド支持凹部６の表面は複数本の皿ビス１０等で、該部位の床躯体３に固定される、滑りが容易な金属材製のスライドカバー部材１２で覆われている。
【００１９】
前記目地プレート７は図１〜図４に示すように、浅皿状の長方形状の金属材製の目地プレート本体１３と、この目地プレート本体１３内に充填されたコンクリートやモルタル１４と、このコンクリートやモルタル１４の上部に配置されたタイルやレンガ等の化粧床材１５と、前記目地プレート本体１３の先端部にヒンジ部材１６を介して取付けられたカバープレート１７とで構成されている。
【００２０】
前記取付手段８は図５に示すように、前記目地プレート７の先端部の両側部寄りの部位に設けられた四角筒状の係止ピン挿入ケース１８と、この係止ピン挿入ケース１８内へ前記目地プレート７の先端部が上下方向に回動が可能となるように傾斜状態で入り込むように、前記目地プレート支持凹部４を覆うように該部位の床躯体３に固定されたカバー部材１１に固定された角柱状の係止ピン１９と、この係止ピン１９の上部にビス２０、２０等で着脱可能に固定された、前記係止ピン挿入ケース１８内をスライド移動可能な押え板２１と、前記係止ピン挿入ケース１８の内壁面に固定された前記目地プレート７の先端部の上下方向の回動が可能で、かつ前記押え板２１と当接可能なストッパー片２２と、前記係止ピン挿入ケース１８の上部に取付けられた上面が前記目地プレート７の上面とほぼ同一面となる脚２３ａ、２３ａを有する差し込み蓋２３とで構成されている。
【００２１】
前記目地プレートのガタ防止具９、９、９、９は図６に示すように、前記目地プレート７の両側寄りの先端部および後端部に固定された上下部が開口するねじ孔２４が形成されたガタ防止固定具２５、２５、２５、２５と、このガタ防止固定具２５、２５、２５、２５のねじ孔２４、２４、２４、２４にそれぞれ螺合された前記目地プレート７がガタ付くと、前記目地プレート支持凹部４の該部位の床躯体３に固定されたカバー部材１１および目地プレートスライド支持凹部６の該部位の床躯体３に固定されたスライドカバー部材１２側へ突出させて、目地プレート７のガタ付きを防止する止めねじ２６、２６、２６、２６と、前記ガタ防止固定具２５、２５、２５、２５のねじ孔２４、２４、２４、２４にそれぞれ螺合される蓋ねじ２７、２７、２７、２７あるいは設置時に、図７に示すように目地プレート７を吊り上げる場合に使用するアイボルト２８、２８、２８、２８とで構成されている。
【００２２】
上記構成の床用目地装置１は地震等によって目地部２が広くなったり、狭くなると、図８および図９に示すように目地プレート７の先端部が目地プレートスライド支持凹部６のスライドカバー部材１２上をスライド移動して、その揺れ動きを吸収する。
目地部２が狭くなって目地プレート７の先端部が上方へ回動する場合、目地プレート７が係止ピン１９、１９より外れようとする力が作用した場合、係止ピン１９、１９の上部に固定された押え板２１、２１に目地プレート７に固定された係止ピン挿入ケース１８、１８に固定されたストッパー片２２、２２が当接して、目地プレート７が係止ピン１９、１９より外れるのを確実に防止することができる。
また、目地プレート７上を車両が走行すると目地プレート７がガタ付く場合、目地プレートのガタ防止具９、９、９、９の蓋ねじ２７、２７、２７、２７を外して、止めねじ２６、２６、２６、２６をドライバーで回転させて上下移動させて、目地プレート７がガタ付かない位置に調整することにより、容易に騒音の発生を防止することができる。
[発明を実施するための異なる形態]
【００２３】
次に、図１０ないし図１４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２４】
図１０および図１１に示す本発明を実施するための第２の形態において、前記本発明を実施するための最良の第１の形態と主に異なる点は、目地プレート７の両側寄りの後端部にだけ目地プレートのガタ防止具９、９を用いるとともに、係止ピン挿入ケース１８の上部に蓋収納部３０を形成し、該蓋収納部３０に複数個の嵌合片３１、３１、３１、３１が取付けられた蓋２３Ａを嵌合固定できるようにした取付手段８Ａを用いた点で、このように構成した床用目地装置１Ａにしても前記本発明を実施するための最良の第１の形態と同様な作用効果が得られる。
【００２５】
図１２ないし図１４に示す本発明を実施するための第３の形態において、前記本発明を実施するための最良の第１の形態と主に異なる点は、止めねじ２６、２６、２６、２６をロックするロックねじ２９、２９、２９、２９をねじ孔２４、２４、２４、２４に螺合させた目地プレートのガタ防止具９Ａ、９Ａ、９Ａ、９Ａを用いた点で、このような目地プレートのガタ防止具９Ａ、９Ａ、９Ａ、９Ａを用いて構成した床用目地装置１Ｂにしても、前記本発明を実施するための最良の第１の形態と同様な作用効果が得られるとともに、止めねじ２６、２６、２６、２６のゆるみをロックねじ２９、２９、２９、２９によって確実に防止することができる。
【産業上の利用可能性】
【００２６】
本発明は上部を車両が走行する床用目地装置を製造する産業で利用される。
【図面の簡単な説明】
【００２７】
【図１】本発明を実施するための最良の第１の形態の平面図。
【図２】図１の２−２線に沿う断面図。
【図３】図１の３−３線に沿う断面図。
【図４】図１の４−４線に沿う断面図。
【図５】本発明を実施するための最良の第１の形態の取付手段の説明図。
【図６】本発明を実施するための最良の第１の形態の目地プレートのガタ防止具の説明図。
【図７】本発明を実施するための最良の第１の形態の目地プレートの吊り上げ状態を示す説明図。
【図８】本発明を実施するための最良の第１の形態の目地部が広くなった動作説明図。
【図９】本発明を実施するための最良の第１の形態の目地部が狭くなった動作説明図。
【図１０】本発明を実施するための第２の形態の平面図。
【図１１】図１０の１１−１１線に沿う断面図。
【図１２】本発明を実施するための第３の形態の平面図。
【図１３】図１２の１３−１３線に沿う断面図。
【図１４】本発明を実施するための第３の形態の目地プレートのガタ防止具の説明図。
【符号の説明】
【００２８】
１、１Ａ、１Ｂ：床用目地装置、２：目地部、
３：床躯体、                  ４：目地プレート支持凹部、
５：傾斜面、                  ６：目地プレートスライド支持凹部、
７：目地プレート、            ８：取付手段、
９、９Ａ：目地プレートのガタ防止具、
１０：皿ビス、                １１：カバー部材、            
１２：スライドカバー部材、    １３：目地プレート本体、            
１４：コンクリートやモルタル、１５：床化粧材、
１６：ヒンジ部材、            １７：カバープレート、
１８：係止ピン挿入ケース、    １９：係止ピン、
２０：ビス、                  ２１：押え板、
２２：ストッパー片、          ２３、２３Ａ：差し込み蓋、
２４：ねじ孔、                ２５：ガタ防止固定具、
２６：止めねじ、              ２７：蓋ねじ、
２８：アイボルト、            ２９：ロックねじ、
３０：蓋収納部、              ３１：嵌合片。
【図１】
2010111998.tif 000003
【図２】
2010111998.tif 000004
【図３】
2010111998.tif 000005
【図４】
2010111998.tif 000006
【図５】
2010111998.tif 000007
【図６】
2010111998.tif 000008
【図７】
2010111998.tif 000009
【図８】
2010111998.tif 000010
【図９】
2010111998.tif 000011
【図１０】
2010111998.tif 000012
【図１１】
2010111998.tif 000013
【図１２】
2010111998.tif 000014
【図１３】
2010111998.tif 000015
【図１４】
2010111998.tif 000016